(57)【要約】【課題】本発明の課題は、シュータに流れ込む草がモア内に逆流するのを阻止し、モア内での草詰まりを防止することにある。【解決手段】    本発明は、走行車体（１）の下方に備えたモアデッキ（９）から後方上方に設置された集草容器（１０）に向けて刈草を案内する刈草案内体（１１）を斜め後上がり姿勢に設け、前記刈草案内体（１１）にはこの底面から上方に突出して刈草の逆流を阻止する逆流防止体（１２）を設ける。  また、前記逆流防止体（１２）の後側には、刈草案内体（１１）の底面を開口して刈草落下口（１３）を設ける。  また、前記逆流防止体（１２）は、刈草案内体（１１）の底面に前後方向所定間隔置きに複数設ける。【選択図】      図５
2015226482.tif 000002
【特許請求の範囲】
【請求項１】
走行車体（１）の下方に備えたモアデッキ（９）から後方上方に設置された集草容器（１０）に向けて刈草を案内する刈草案内体（１１）を斜め後上がり姿勢に設け、前記刈草案内体（１１）にはこの底面から上方に突出して刈草の逆流を阻止する逆流防止体（１２）を設けてあることを特徴とする乗用型モア。
【請求項２】
前記逆流防止体（１２）は、斜め後上がりの傾斜姿勢に構成してあることを特徴とする請求項１記載の乗用型モア。
【請求項３】
前記逆流防止体（１２）の後側には、刈草案内体（１１）の底面を開口して刈草落下口（１３）を設けてあることを特徴とする請求項１又は請求項２記載の乗用型モア。
【請求項４】
前記逆流防止体（１２）は、刈草案内体（１１）の底面に前後方向所定間隔置きに複数設けてあることを特長とする請求項１又は請求項２又は請求項３記載の乗用型モア。
【請求項５】
前記刈草案内体（１１）の底面は、始端側の第１傾斜案内部（１１ａ）と終端側の第２傾斜案内部（１１ｂ）とからなり、第１傾斜案内部の傾斜角より第２傾斜案内部の傾斜角を小さくすると共に、前記逆流防止体（１２）は第２傾斜部（１１ｂ）に設定してあることを特徴とする請求項１又は請求項２又は請求項３又は請求項４記載の乗用型モア。
【発明の詳細な説明】
【技術分野】
【０００１】
この発明は、走行車体の下方に草を刈り取るモアを備えた乗用型モアに関するものである。
【背景技術】
【０００２】
特許文献１には、走行車体の下方にモア及び刈草を案内するシュータを設け、走行車体の後方に設ける集草容器（コレクタ）の刈草を集草するトラクタモアの集草装置が開示されている。
【先行技術文献】
【特許文献】
【０００３】
【特許文献１】特許第５２５１５９８号公報
【発明の概要】
【発明が解決しようとする課題】
【０００４】
従来構成のものでは、集草容器に堆積する草がシュータに落下し、モア内に逆流して、草詰まりを惹き起す場合がある。特に、集草容器の下部は斜め後上がりの構成が多いため刈草がシュータに流れ込み易い。
【０００５】
本発明の課題は、シュータに流れ込む草がモア内に逆流するのを阻止し、モア内での草詰まりを防止することにある。
【課題を解決するための手段】
【０００６】
この発明は、上記課題を解決すべく次のような技術的手段を講じた。
すなわち、請求項１記載の本発明は、走行車体（１）の下方に備えたモアデッキ（９）から後方上方に設置された集草容器（１０）に向けて刈草を案内する刈草案内体（１１）を斜め後上がり姿勢に設け、前記刈草案内体（１１）にはこの底面から上方に突出して刈草の逆流を阻止する逆流防止体（１２）を設けてあることを特徴とする。
【０００７】
集草容器（１０）に堆積される刈草が刈草案内体（１１）に流れ込んでモア（８）側に逆流する場合があっても逆流防止体（１２）によって刈草の逆流が阻止され、モア（８）内に入り込むのを防止することができる。
【０００８】
請求項２記載の本発明は、請求項１において、前記逆流防止体（１２）は、斜め後上がりの傾斜姿勢に構成してあることを特徴とする。
上記構成によると、逆流防止体（１２）が斜め後上がりに傾斜しているため、モア（８）からの刈草が集草容器（１０）に向けて円滑に案内されることになる。
【０００９】
請求項３記載の本発明は、請求項１又は請求項２において、前記逆流防止体（１２）の後側には、刈草案内体（１１）の底面を開口して刈草落下口（１３）を設けてあることを特徴とする。  
【００１０】
上記構成によると、集草容器（１０）から刈草案内体（１１）へ流れ込んだ刈草が少量の場合には、逆流防止体（１２）の後側で滞留することなく刈草落下口（１３）から地面に落下させることができる。
【００１１】
請求項４記載の本発明は、請求項１又は請求項２又は請求項３において、前記逆流防止体（１２）は、刈草案内体（１１）の底面に前後方向所定間隔置きに複数設けてあることを特長とする。
【００１２】
上記構成によると、集草容器（１０）に堆積される刈草が刈草案内体に流れ込んだ場合に複数個の逆流防止体（１２）によって阻止することができるので、刈草がモア内に入り込むのを確実に防止することができる。
【００１３】
請求項５記載の本発明は、請求項１又は請求項２又は請求項３又は請求項４において、前記刈草案内体（１１）の底面は、始端側の第１傾斜案内部（１１ａ）と終端側の第２傾斜案内部（１１ｂ）とからなり、第１傾斜案内部の傾斜角より第２傾斜案内部の傾斜角を小さくすると共に、前記逆流防止体（１２）は第２傾斜部（１１ｂ）に設定してあることを特徴とする。
【００１４】
上記構成によると、逆流防止体（１２）は、傾斜の緩やかな第２傾斜部（１１ｂ）に設定されてあるため、モアからの刈草を集草容器に円滑に案内することができながら、集草容器からの逆流は確実に阻止することができる。
【発明の効果】
【００１５】
請求項１に記載の本発明によれば、モアデッキからの刈草を集草容器に案内する刈草案内体に刈草の逆流を阻止する逆流防止体を設けることで、集草容器に堆積する刈草が刈草案内体に流れ込む場合があっても逆流防止体によって刈草の逆流を阻止することができ、刈草のモア内への入り込みがなく、モア内での草詰まりを未然に防止することができる。
【００１６】
請求項２に記載の本発明によれば、請求項１記載の効果に加えて、逆流防止体が斜め後上がりに傾斜しているため、モアからの刈草を集草容器に円滑に案内することができる。
請求項３に記載の本発明によれば、請求項１又は請求項２記載の効果に加えて、逆流防止体の後側に刈草落下口を設けることで、集草容器から刈草案内体へ流れ込んだ刈草が少量の場合には、刈草落下口から地面に落下させることができる。
【００１７】
請求項４に記載の本発明によれば、請求項１又は請求項２又は請求項３記載の効果に加えて、逆流防止体は、前後方向所定間隔置きに複数設けてあるので、刈草がモア内に入り込むのをより確実に防止することができる。
【００１８】
請求項５に記載の本発明によれば、請求項１又は請求項２又は請求項３又は請求項４記載の効果に加えて、逆流防止体は傾斜の緩やかな第２傾斜部に設けることで、モアからの刈草を集草容器に円滑に案内できるものでありながら、集草容器からの逆流は確実に阻止することができる。
【図面の簡単な説明】
【００１９】
【図１】乗用型モアの側面図
【図２】同上要部の正面図
【図３】乗用型モアの平面図
【図４】同上要部の平面図
【図５】同上要部の側断面図
【図６】同上要部の側面図
【図７】同上一部の斜視図
【図８】別実施例を示す集送容器の側断面図
【図９】乗用型モアの側面図
【図１０】集草容器の一部の断面図
【発明を実施するための形態】
【００２０】
この発明の実施例を図面に基づき説明する。
図１、図２及び図３は、走行車体の下方に芝などの草を刈り取るモアを備えた乗用型モアを示すものであり、この乗用型モアは、車体１前部のボンネット２内部にエンジンＥを搭載し、車体１の前後には前輪３後輪４を架設している。エンジンＥの後方に前輪３，３を操舵するステアリングハンドル５が装備され、更に、その後方には運転席６が設置されている。
【００２１】
前輪３と後輪４との間でステップ７の下方には草を刈り取るモア８が設置されている。モア８で刈り取った芝草は車体後部に備えた集草容器１０に収容されるようになっている。
【００２２】
モア８と集草容器１０との間には、モアデッキ９から後方上方の集草容器１０に向けて刈草を案内する刈草案内体１１が斜め後上がり姿勢に傾斜して設けられている。
刈草案内体１１の傾斜案内底面は、図５に示すように、始端側の第１傾斜案内部１１ａと終端側の第２傾斜案内部１１ｂとからなり、第２傾斜案内部１１ｂの傾斜角は、第１傾斜案内部１１ａの傾斜角よりも緩やかになるよう小さく設定されている。
【００２３】
そして、刈草案内体の第２傾斜案内部１１ｂには、この傾斜案内底面から上方に起立状に突出して刈草の逆流を阻止する逆流防止体１２が前後方向所定間隔置きに複数設けられている。
【００２４】
各逆流防止体１２は、斜め後上がりの傾斜姿勢となるよう構成され、モアデッキからの刈草の案内作用が円滑に行えるようにしている。
また、逆流防止体１２の後側には、図６に示すように、刈草案内体１１の底面に刈草落下口１３が開設されている。なお、図例では、刈草案内体１１にコの字型のスリットを設け、それを上方へ斜めに折り曲げることによって逆流防止体１２と刈草落下口１３を形成（図７参照）している。
【００２５】
図４に示すように、モアデッキ９には、左右一対のブレード軸１４を軸架して、その下端部にブレード１５を取り付けた構成としている。
また、図５において、刈草案内体１１は、操作レバー１６の操作により、昇降ロッド１７、横軸１８回りに揺動する回動アーム１９，１９、作動リンク２０，２０を介して仮想線の状態から実線の状態位置に移動操作できる構成としている。
【００２６】
集草容器１０の底板は、通常後上がりに傾斜しているため、底板に溜まった草は機体の揺れや振動で前方にずれ落ちて刈草案内体内に侵入し草詰まりの原因となっている。そこで、本例では、図１に示すように、集草容器の底板を横方向の波型形状１０Ｗとすることで、刈草のずれ落ちを防止でき、しかも、強度メンバとしての役割も果たしている。
【００２７】
また、図８に示す実施例では、集草容器の底板上に横方向のずり落ち防止突起２１を設けた構成としている。
なお、図９に示すように、集草容器の底板が後下がりに傾斜しているものでは、該容器１０の背面部１０Ｒを図１０に示すような波型板２２よって構成しておくと容器自体の強度は強固に保持される。
【符号の説明】
【００２８】
８    モア
９    モアデッキ
１０    集草容器
１１    刈草案内体
１２    逆流防止体
１３    刈草落下口
【図１】
2015226482.tif 000003
【図２】
2015226482.tif 000004
【図３】
2015226482.tif 000005
【図４】
2015226482.tif 000006
【図５】
2015226482.tif 000007
【図６】
2015226482.tif 000008
【図７】
2015226482.tif 000009
【図８】
2015226482.tif 000010
【図９】
2015226482.tif 000011
【図１０】
2015226482.tif 000012